(57)【要約】【課題】非侵襲的な方法で手相，足裏相又は人相を改善することができる器具を提供する。【解決手段】手相を形成するための器具１において，手に巻き付けるバンド状部材３を備え，前記バンド状部材３を手に巻き付けた状態で係止自在な構成とした。さらに，手甲当接部材２を手の甲にあてがった状態でバンド状部材３を巻き付けることとした。また，前記手甲当接部材２を手の甲にあてがったときに第３指と第４指の手の甲側に沿って配置される指当接部５と，前記指当接部５に第３指と第４指を固定する当接部指固定ベルト１０を備えることとした。【選択図】  図３
2004321361.tif 000002
【特許請求の範囲】
【請求項１】
手相を形成するための器具であって，
手に巻き付けるバンド状部材を備え，
前記バンド状部材を手に巻き付けた状態で係止自在な構成であることを特徴とする，手相形成器具。
【請求項２】
手相を形成するための器具であって，
手の甲にあてがわれる手甲当接部材と，前記手甲当接部材を手の甲にあてがった状態で手に巻き付けるバンド状部材を備えることを特徴とする，手相形成器具。
【請求項３】
前記手甲当接部材を手の甲にあてがったときに第３指と第４指の手の甲側に沿って配置される指当接部と，前記指当接部に第３指と第４指を固定する当接部指固定ベルトを備えることを特徴とする，請求項２に記載の手相形成器具。
【請求項４】
第３指と第４指の間に挟むスペーサを備えることを特徴とする，請求項３に記載の手相形成器具。
【請求項５】
折り曲げた第２指又は第５指の手の甲側に巻き付けた状態で固定する指固定ベルトを備えることを特徴とする，請求項２，３又は４に記載の手相形成器具。
【請求項６】
足裏相を形成するための器具であって，
足に巻き付けるバンド状部材を備え，
前記バンド状部材を足に巻き付けた状態で係止自在な構成であることを特徴とする，足裏相形成器具。
【請求項７】
足裏相を形成するための器具であって，
足の甲にあてがわれる足甲当接部材と，前記足甲当接部材を足の甲にあてがった状態で足に巻き付けるバンド状部材を備えることを特徴とする，足裏相形成器具。
【請求項８】
前記足甲当接部材を足の甲にあてがったときに第３趾と第４趾の足の甲側に沿って配置される趾当接部と，前記趾当接部に第３趾と第４趾を固定する趾固定ベルトを備えることを特徴とする，請求項７に記載の足裏相形成器具。
【請求項９】
第３趾と第４趾の間に挟むスペーサを備えることを特徴とする，請求項８に記載の足裏相形成器具。
【請求項１０】
人相を形成するための器具であって，
頭部にあてがうバンド状部材を備え，
前記バンド状部材の両端に，鼻翼，口角又は耳殻を保持する保持部材をそれぞれ備えることを特徴とする，人相形成器具。
【請求項１１】
後頭部に後頭部当接部材をあてがった状態で前記バンド状部材を頭部にあてがう構成であることを特徴とする，請求項１０に記載の手相形成器具。
【発明の詳細な説明】
【０００１】
【発明の属する技術分野】
本発明は，手相，足裏相及び人相を改善する器具に関する。
【０００２】
【従来の技術】
人の掌の皺，肉付き，形状等は，個人によって異なる特徴があり，手相学において，人の運勢等が現れていると考えられている特徴を手相という。手相を鑑定することにより，運勢など種々の事柄を占うことができるとされている。特に，掌の皺によって形成された線（以下，「手相線」という。）には，人生で起こる様々な事柄の内容や，その事柄が起こる年齢等が現れていると考えられており，手相鑑定において重視される。また，人の運勢等が現れていると考えられている足裏の皺，肉付き，形状等の特徴は，足裏相と呼ばれ，足裏相による占いも行われている。一方，人の性格等が現れていると考えられている鼻，口，耳等の形状等の特徴は，人相と呼ばれており，人相による占いも行われている。
【０００３】
手相や，足裏相，人相が悪い場合，不安，絶望感，自信喪失，否定的暗示等の心理的反応が生じ，希望，自信等の心理状態を得ることが困難となる人が少なくない。このような問題を解決する手段として，従来，掌や足裏の外観を変える方法が提案されている。例えば，掌や足裏の皮膚に直接的に針治療，メス治療，電磁波治療，薬物治療，摩擦治療，電子振動，圧迫刺激等を行い，傷痕等による線を付ける侵襲的な方法が提案されている（例えば，特許文献１，２参照。）。さらに，掌にペンなどで線を描いたり，掌の線をシールによって覆い隠したりすることにより，良い手相が現れているという暗示を得る方法が提案されている（例えば，特許文献３参照。）。
【０００４】
【先行技術文献】
【特許文献１】
特開２００２−１２８６６２号公報
【特許文献２】
特開２００２−２００１３８号公報
【特許文献３】
特開平１１−１３９０８９号公報
【０００５】
【発明が解決しようとする課題】
しかしながら，侵襲的な方法で皮膚に付いた傷痕等は，手相学上，基本的には良くないものと考えられている。また，侵襲的な方法を行う場合，体質によっては，ケロイド，血流障害等を起こす可能性が極めて高いので，十分な注意が必要である。一方，ペンやシールを用いる場合，実際の手相線は変化していないので，良い手相が現れているという暗示を得ることが難しいと考えられる。また，鼻，口，耳の形状を変える場合，整形手術等の侵襲的な方法を用いなければならず，手軽に利用できない難点があった。
【０００６】
従って，本発明の目的は，非侵襲的な方法で手相，足裏相又は人相を改善することができる器具を提供することにある。
【０００７】
【課題を解決するための手段】
上記課題を解決するために，本発明によれば，手相を形成するための器具であって，手に巻き付けるバンド状部材を備え，前記バンド状部材を手に巻き付けた状態で係止自在な構成であることを特徴とする，手相形成器具が提供される。この手相形成器具によれば，バンド状部材を手に巻き，締め付けることにより，掌の親指側と掌の小指側を互いに近づけて，手首から指先に向かう縦皺を掌に形成した状態で，手を固定できる。そして，毎日数分間ずつ継続して使用することによって，縦方向の手相線を次第に増強させることができる。即ち，良い手相を形成することができる。特に，生命線や運命線を改善することができる。また，掌の微細な横皺を減少させた状態で手を固定するので，凶相とされる微細な横方向の手相線を減少させることができる。
【０００８】
また，本発明によれば，手相を形成するための器具であって，手の甲にあてがわれる手甲当接部材と，前記手甲当接部材を手の甲にあてがった状態で手に巻き付けるバンド状部材を備えることを特徴とする，手相形成器具が提供される。この手相形成器具によれば，手を確実に固定できる。
【０００９】
前記手甲当接部材を手の甲にあてがったときに第３指と第４指の手の甲側に沿って配置される指当接部と，前記指当接部に第３指と第４指を固定する当接部指固定ベルトを備えることが好ましい。この場合，第３指と第４指を揃えて固定することにより，運命線をより効果的に増強させることができる。さらに，第３指と第４指の間に挟むスペーサを備えても良い。これにより，第３指と第４指の間が圧迫されることを防止でき，装着感を良好にすることができる。
【００１０】
折り曲げた第２指又は第５指の手の甲側に巻き付けた状態で固定する指固定ベルトを備えることとしても良い。この場合，第２指を折り曲げた状態で固定することにより，頭脳線を増強させることができる。また，第５指を折り曲げた状態で固定することにより，結婚線を増強させることができる。
【００１１】
また，本発明によれば，足裏相を形成するための器具であって，足に巻き付けるバンド状部材を備え，前記バンド状部材を足に巻き付けた状態で係止自在な構成であることを特徴とする，足裏相形成器具が提供される。この足裏相形成器具によれば，バンド状部材を足に巻回させ，締め付けることにより，足の裏の親指側と小指側を互いに近づけて，踵から趾に向かう縦皺を足の裏に形成した状態で，足を固定できる。これにより，縦方向の線を次第に増強させることができる。即ち，良い足裏相を形成することができる。
【００１２】
さらに，本発明によれば，足裏相を形成するための器具であって，足の甲にあてがわれる足甲当接部材と，前記足甲当接部材を足の甲にあてがった状態で足に巻き付けるバンド状部材を備えることを特徴とする，足裏相形成器具が提供される。この足裏相形成器具によれば，足を確実に固定できる。
【００１３】
前記足甲当接部材を足の甲にあてがったときに第３趾と第４趾の足の甲側に沿って配置される趾当接部と，前記趾当接部に第３趾と第４趾を固定する趾固定ベルトを備えることが好ましい。この場合，縦の線をより効果的に増強させることができる。また，第３趾と第４趾の間に挟むスペーサを備えても良い。これにより，第３趾と第４趾の間が圧迫されることを防止でき，装着感を良好にすることができる。
【００１４】
さらに，本発明によれば，人相を形成するための器具であって，頭部にあてがうバンド状部材を備え，前記バンド状部材の両端に，鼻翼，口角又は耳殻を保持する保持部材をそれぞれ備えることを特徴とする，人相形成器具が提供される。この人相形成器具によれば，例えば，左右の鼻翼を後頭部側へ向かって引いた状態で固定して，毎日数分間ずつ継続して使用すると，鼻翼が左右に開いた形状となり，財産運が良い人相になる。左右の口角を後頭部側へ向かって引いた状態で固定して継続使用すると，「迎舟口」と呼ばれる口角が上がった状態となり，運勢が良い人相になる。左右の耳殻の耳輪を後頭部側へ向かって引いた状態で固定して継続使用すると，対輪がはっきりと出て，積極的な性格の人相になる。
【００１５】
また，後頭部に後頭部当接部材をあてがった状態で前記バンド状部材を頭部にあてがう構成であることが好ましい。この場合，顔面を確実に固定できる。
【００１６】
【発明の実施の形態】
以下，本発明の好ましい実施の形態を説明する。図１に示すように，本発明にかかる手相形成器具１は，手の甲にあてがう手甲当接部材２を備えている。手甲当接部材２の掌側には，手甲当接部材２を手の甲にあてがった状態で手に巻き付けるベルト３が備えられている。
【００１７】
手甲当接部材２には，手甲当接部材２を手の甲にあてがったときに第３指と第４指の手の甲側に沿って配置される指当接部５が形成されている。指当接部５は，図２に示すように，揃えて屈曲させた第３指と第４指の手の甲側に沿った形状で形成されている。具体的には，例えば，第３指と第４指の各ＤＩＰ関節を約５°程度，各ＰＩＰ関節を約１５°程度，各ＭＰ関節を約３０°程度曲げて屈曲させた形に沿って形成されている。
【００１８】
また，手甲当接部材２は，柔軟性のあるプラスチック体６と，プラスチック体６の手の甲に当接させる面に沿って貼り付けられたスポンジ状のクッション材７によって構成されている。クッション材７は，多数の孔が形成されたメッシュ構造となっており，通気性が良く，手甲当接部材２を手の甲にあてがったときの装着感が良好である。
【００１９】
なお，手甲当接部材２のプラスチック体６の成形は，溶解させた石膏に手を入れて石膏を固化させることにより，手型を作成し，この手型に合わせてプラスチックを成形することにより行う。手型は，第３指と第４指を互いに近接させ，第３指と第４指の各ＤＩＰ関節を約５°程度，各ＰＩＰ関節を約１５°程度，各ＭＰ関節を約３０°程度曲げて屈曲させた状態とし，掌を自然に広げた状態で作成する。このようにして，第３指と第４指を揃えて屈曲させた手の甲に沿った形状の手甲当接部材２を成形する。
【００２０】
指当接部５には，指当接部５に第３指と第４指を固定する当接部指固定ベルト１０が備えられている。当接部指固定ベルト１０の基端は，留め具１１によって，指当接部５の第３指側の外面に留め付けられている。当接部指固定ベルト１０の内面は，パイル状の雌面ファスナー１２となっている。指当接部５の第４指側の外面には，鉤状の雄面ファスナー１３が貼り付けられている。即ち，雄面ファスナー１３に雌面ファスナー１２を係合させることにより，掌側に延接した当接部指固定ベルト１０の先端側を，指当接部５の外面に係止させるようになっている。
【００２１】
図１に示すように，ベルト３の基端は，留め具１５によって，手甲当接部材２の第５指側の外面に留め付けられている。ベルト３の外面は，鉤状の雄面ファスナー１６となっている。また，手甲当接部材２の第１指側に，手首側から第１指の付け根側に向かうスリット状の通過口１７が形成されている。即ち，第５指側から第１指側に延設したベルト３を掌側から通過口１７に挿入させ，手の甲側に引き出し，引き出した部分を第５指側の外側から掌側に折り返し，折り返した部分を雄面ファスナー１６よってベルト３の外面に係止させるようになっている。なお，図３に示すように，ベルト３の内面には，フェルト状のクッション材１８が貼り付けられている。
【００２２】
次に，以上のように構成された手相形成器具１の使用方法を説明する。先ず，通過口１７から手の甲側に引き出す部分を短くしてベルト３を緩め，ベルト３と手甲当接部材２との間に手を挿入する。そして，手の甲に手甲当接部材２をあてがい，第１指側の手の甲側，掌の外側，第５指側の手の甲側にベルト３が延設されるように配置し，通過口１７から引き出す部分を長くしてベルト３を締め付ける。即ち，手甲当接部材２を湾曲させながら，図４に示すように，手の第１指側を第５指側に向かって移動させ，また，手の第５指側を第１指側に向かって移動させる。これにより，掌の第１指側と第５指側が互いに近接して，第１指側の肉と第５指側の肉との間に，手首から指先に向かう方向の多数の縦皺が現れる。ベルト３を締め付けたら，手の甲側に引き出した部分を第１指側の外側から掌側に折り返し，折り返した部分の雄面ファスナー１６を，掌に当接しているベルト３の雄面ファスナー１６に係合させ，ベルト３を係止させる。こうして，手甲当接部材２を手の甲に沿って湾曲させた状態とすることによって，手の甲が広がることを防止でき，手を窄めた状態で固定できる。
【００２３】
このように，湾曲させた手甲当接部材２と締め付けたベルト３によって，手を窄めた状態で固定すると，手首から指先に向かう種々の縦皺が現れた状態に維持される。具体的には，一般に第１指と第２指との間から手首側に向かって形成されている皺，即ち，図５に示す生命線Ｌ１に沿って，掌の肉が寄り合った状態になる。また，一般に手首側から第３指の付け根側に向かって形成されている皺，即ち，運命線Ｌ２に沿って，掌の肉が寄り合った状態になる。微細な縦皺は深く長くなり，微細な横皺は消滅した状態になる。
【００２４】
上記のように手甲当接部材２及びベルト３によって手を固定する一方で，第３指と第４指の手の甲側に沿って配置された指当接部５に，第３指及び第４指を固定する。先ず，当接部指固定ベルト１０の雌面ファスナー１２と雄面ファスナー１３を離し，当接部指固定ベルト１０を指当接部５から離隔させ，第３指と第４指の手の甲側を指当接部５に当接させる。そして，当接部指固定ベルト１０を第３指と第４指の掌側に接触させ，雌面ファスナー１２と雄面ファスナー１３を係合させる。こうして，第３指と第４指をやや屈曲させた状態で固定すると，縦皺がより深く長く現れ，横皺が現れ難くなる。特に，掌の肉を寄り合わせたのみの場合と比較して，運命線Ｌ２がより深く長く現れる。第３指と第４指は，指当接部５の形状に沿って屈曲させた状態，即ち，第３指と第４指の各ＤＩＰ関節を約５°程度，各ＰＩＰ関節を約１５°程度，各ＭＰ関節を約３０°程度曲げて屈曲させた状態で固定される。これらの角度は，本発明者が手の解剖学的見地から検討し，実験を行った結果，良い手相が最も現れやすい角度として決定したものである。
【００２５】
なお，手甲当接部材２及びベルト３による手の固定と，指当接部５及び当接部指固定ベルト１０による第３指及び第４指の固定は，どちらを先に行っても良い。
【００２６】
手の固定は，手甲当接部材２，ベルト３，指当接部５及び当接部指固定ベルト１０の各配置や，ベルト３，当接部指固定ベルト１０を締める力の強さ等を調節することにより，形成したいと希望する縦皺の形状等が現れるように調整しながら行う。例えば，手甲当接部材２及びベルト３による手の甲の固定と，指当接部５及び当接部指固定ベルト１０による第３指及び第４指の固定を行っても，形成したいと希望する形状に縦皺が現れていない場合は，手甲当接部材２，ベルト３，指当接部５及び当接部指固定ベルト１０の各配置や，ベルト３，当接部指固定ベルト１０を締め付ける力の強さ等を直して，希望する縦皺の形状等が確実に現れるように調整し直す。ここで，ベルト３においては，通過口１７から引き出す部分の長さを調節することにより，手を締め付ける力の強さを調節するようになっている。また，折り返した部分は，掌に当接している部分の雄面ファスナー１６に係合させる位置をずらして固定することができる。当接部指固定ベルト１０は，雌面ファスナー１２を雄面ファスナー１３に係合させる位置をずらして固定することにより，第３指及び第４指を締め付ける力の強さを調節することができる。
【００２７】
手甲当接部材２，ベルト３，指当接部５及び当接部指固定ベルト１０の各配置の調節，ベルト３の締め付け具合の調節，雄面ファスナー１６の係合と剥離，雌面ファスナー１２と雄面ファスナー１３の係合と剥離等は，手相形成器具１を装着しない側の片手で簡単に操作することができる。従って，手相形成器具１の装着は手間が掛からない。
【００２８】
手相形成器具１の各部の調節が完了したら，数分間，例えば約１０分間程度の間，手相形成器具１を装着したままにして，手を固定した状態にする。手甲当接部材２は，手の甲の型に沿った形状で形成されており，指当接部５は，揃えて屈曲させた第３指と第４指の手の甲側の型に沿った形状で形成されているので，装着感が良好である。手甲当接部材２にはメッシュ構造のクッション材７が貼り付けられているので，肌触り，通気性，装着感が良い。さらに，ベルト３の内面に，クッション材１８が貼り付けられているので，肌触りや装着感が良い。手首，第２指，第５指は，自由に動かすことができ，例えば，第１指と第２指によってペン等の筆記具を持ち，文字等を書くような作業を行うことは可能である。従って，長時間装着しても使用者に不快感を与えない。
【００２９】
手相形成器具１の装着後，数分間経過したら，手相形成器具１を取り外す。ベルト３の折り返した部分の雄面ファスナー１６を，掌に当接しているベルト３の雄面ファスナー１６から剥離して，ベルト３を緩める。また，雌面ファスナー１２を雄面ファスナー１３から剥離して，当接部指固定ベルト１０を第３指及び第４指から離隔させる。ここで，雄面ファスナー１６の剥離，雌面ファスナー１２と雄面ファスナー１３の剥離は，手相形成器具１を装着しない側の片手で簡単に操作することができる。従って，手相形成器具１の取り外しに手間が掛からない。
【００３０】
以上に示した手相形成器具１による手の固定を，毎日数分間ずつ継続して行うと，既存の縦方向の手相線が次第に深く長くなる。さらに，新たな縦方向の手相線が形成される。即ち，吉相とされる縦方向の手相線を明確にしたり，長くしたり，増加させたりすることができる。また，凶相とされる横方向の微細な手相線を次第に減少させることができる。手の固定を行う時間や期間は，個人によって差があるが，例えば，１日約１０分間ずつ継続して行うことで，好ましい効果を得ることができる。
【００３１】
例えば，図５に示す生命線Ｌ１は，手相学上，寿命や健康等に関する事柄が示されていると考えられており，この生命線Ｌ１が明確になったり，長くなったりすることで，寿命や健康に関する希望，自信等を得ることができる。運命線Ｌ２は，運命等に関する事柄が示されていると考えられており，この運命線Ｌ２が明確になったり，長くなったりすることで，運命に関する希望，自信等を得ることができる。また，第４指の付け根側から手首側に向かう皺，即ち，太陽線Ｌ３や，第５指の付け根側から手首側に向かう皺，即ち，財運線Ｌ４を明確に形成することが可能である。太陽線Ｌ３は，地位や名声等に関する事柄が示されていると考えられており，この太陽線Ｌ３が明確になったり，長くなったりすることで，地位や名声に関する希望，自信等を得ることができる。財運線Ｌ４は，財運等に関する事柄が示されていると考えられており，この財運線Ｌ４が明確になったり，長くなったりすることで，財運に関する希望，自信等を得ることができる。なお，横方向の手相線であっても，一般に第１指と第２指との間から第５指と手首との間に向かって形成されている皺，即ち，頭脳線Ｌ５や，一般に第５指の付け根付近から第１指又は第２指に向かって形成されている皺，即ち，感情線Ｌ６等は，深く形成されているものであり，手相形成器具１による手の固定を継続して行うことによって浅くなったり，短くなったり，消滅したりする虞は無い。
【００３２】
また，この手相形成器具１にあっては，装着感が良好であり，容易に脱着できるため，装着に対する抵抗感を使用者に与えることが無い。従って，使用者は，手甲当接部材２の装着を無理なく継続することができ，手相を確実に改善することができる。また，循環不全，皮膚への障害が起こる心配が無く，安全である。
【００３３】
かかる手相形成器具１によれば，手の固定を毎日数分間ずつ継続して行うことにより，縦方向の手相線を明確にし，増加させることができる。また，凶相とされる横方向の微細な手相線を次第に減少させることができる。即ち，侵襲的な方法を用いることなく，簡単に手相を改善することができる。使用者は，運勢が良い手相，即ち，ラッキーハンドを所有することで，希望，自信を得ることができる。
【００３４】
以上，本発明の好適な実施の形態の一例を示したが，本発明はここで説明した形態に限定されない。例えば，手甲当接部材２はプラスチック製としたが，プラスチック以外の種々の材料を使用しても良い。なお，手甲当接部材２の材質は，例えばシリコンや布等，湾曲させる柔軟性のあるものとすることが好ましい。
【００３５】
手甲当接部材２の手の甲側に貼るクッション材７は，スポンジ状のメッシュ構造を有するものに限定されないが，例えば，ラバー材，フェルト等，肌触りを良好にする素材を使用することが好ましい。また，クッション材７に小穴を多数空けて通気性を良好にすることが好ましい。
【００３６】
ベルト３の内面に貼るクッション材１８は，フェルト状のものに限定されないが，例えば，スポンジ，ラバー材等，肌触りを良好にする素材を使用することが好ましい。また，クッション材１８に小穴を多数空けて通気性を良好にすることが好ましい。
【００３７】
手甲当接部材２のプラスチック体６の成形は，石膏による手型に基づいて行うものに限定されず，石膏の他，シリコン樹脂，ゴム類等，石膏以外の溶剤等を使用して手型を成形することができる。また，スキャナ，レントゲン，ＣＴ装置（二次元又は三次元），ＭＲＩ装置（二次元又は三次元）等によって手の形状を測定し，測定結果をコンピュータに読み込ませ，手の形状を数値化しても良い。この場合，コンピュータによる制御に基づいて，手型を成形したり，プラスチック体６を成形することができる。
【００３８】
手甲当接部材２の製造においては，標準的な形状の手を想定して手型の成形を行い，又は，複数人の手について形状測定を行って平均的な数値を算出し，これを利用してプラスチック体６を量産しても良い。この場合，製造に要する費用が少なく，低価格で販売できる。また，各使用者の手について手型の成形又は形状測定を行い，これに基づきプラスチック体６を生産する受注生産（オーダーメイド）としても良い。この場合，装着感が優れた手相形成器具１を提供することができる。
【００３９】
ベルト３として使用するバンド状部材は，紐状や，伸縮性のあるゴムベルト等であっても良い。ベルト３の両端を保持する構成は，留め具１５と通過口１７によるものに限定されない。例えば，第１指側に鉤状の雄面ファスナーを設け，ベルト３の先端側に，パイル状の雌面ファスナーを設けることとし，これらを係合させることにより，ベルト３の先端を係止させる構成としても良い。
【００４０】
ベルト３は，外面に設けられた鉤状の雄面ファスナー１６同士を係合させて係止させることとしたが，かかる構成に限定されない。例えば，掌に当接させるベルト３の外面に雌面ファスナーを設け，通過口１７から折り返す部分の先端に雄面ファスナーを設け，雌面ファスナーと雄面ファスナーを係合させることにより，ベルト３を係止させるようにしても良い。
【００４１】
本実施の形態では，ベルト３の締め付ける力の強さの調節は，通過口１７から引き出す部分の長さを調節することにより行うこととしたが，かかる構成に限定されない。例えば，図６に示すように，ベルト３の途中にバックル３０を介設して，バックル３０から突出させたベルト３の余り部３ａを引き出すことにより，ベルト３を締め付けるようにしても良い。
【００４２】
第３指と第４指の各ＤＩＰ関節，各ＰＩＰ関節及び各ＭＰ関節を曲げる角度は，本実施の形態に示したものに限定されない。また，第３指と第４指の各ＤＩＰ関節，各ＰＩＰ関節及び各ＭＰ関節を曲げる角度を変更可能な構成としても良い。例えば，手甲当接部材２を，手首と第１指から第５指までの各ＭＰ関節との間に当接させる主当接部材，第３指と第４指の各ＭＰ関節と各ＰＩＰ関節との間に当接させる第一の指当接部材，第３指と第４指の各ＰＩＰ関節と各ＤＩＰ関節との間に当接させる第二の指当接部材，第３指と第４指の各ＰＩＰ関節と指先との間に当接させる第三の指当接部材によって構成し，主当接部材と第一の指当接部材，第一の指当接部材と第二の指当接部材，第二の指当接部材と第三の指当接部材との間に，角度を調節して固定できるヒンジをそれぞれ備える。この場合，第３指と第４指の各ＤＩＰ関節の近傍，各ＰＩＰ関節の近傍，及び，各ＭＰ関節の近傍で，それぞれ手甲当接部材２を屈曲させることにより，第３指と第４指の各ＤＩＰ関節，各ＰＩＰ関節及び各ＭＰ関節の角度を変えて固定できる。従って，使用者の手の形状，肉質，使用者が希望する手相等に応じて，手相が現れやすい最適な角度に調節することができる。また，手に負担を感じないような，装着感の良い角度を選択することもできる。
【００４３】
当接部指固定ベルト１０として使用する部材は，紐状や，伸縮性のあるゴムベルト等であっても良い。当接部指固定ベルト１０の両端を保持する構成は，留め具１１と，雌面ファスナー１２及び雄面ファスナー１３によるものに限定されない。例えば，指当接部５の第３指側の外面に，留め具１１と代えて，鉤状の雄面ファスナーを設け，当接部指固定ベルト１０の第３指側の雌面ファスナー１２と係合させることにより，当接部指固定ベルト１０の第３指側の基端を係止させる構成としても良い。また，当接部指固定ベルト１０の途中にバックルを介設して，バックルから突出させた当接部指固定ベルト１０の余り部を引き出すことにより，当接部指固定ベルト１０を締め付けるようにしても良い。
【００４４】
図７に示すように，当接部指固定ベルト１０によって固定される第３指と第４指の間に，スペーサ３１を挟むようにしても良い。この場合，第３指と第４指の間が圧迫されることを防止でき，皮膚への刺激を弱めることができ，装着感を更に良好にすることができる。また，長時間装着しても負担が少ない。スペーサ３１は，例えばシリコンやウレタン等，弾力性のある材料によって，楕円型の薄板状等に形成すると良い。
【００４５】
図８に示すように，折り曲げた第２指の手の甲側に巻き付けた状態で固定する第２指固定ベルト３５を備えても良い。例えば，手甲当接部材２に，第２指固定ベルト３５の両端をそれぞれ保持する雄面ファスナー３６，３７を備える。また，第２指固定ベルト３５の内面に，雌面ファスナー３８を備える。手相形成器具１を装着するときは，図９に示すように，第２指のＭＰ関節を約９０°程度に近い大きな角度で曲げ，ＰＩＰ関節を約９０°程度曲げ，ＤＩＰ関節を約０°に伸ばした状態にすることにより，指先が第２指の付け根付近に対向するように第２指を屈曲させて，第２指固定ベルト３５を第２指のＭＰ関節，ＰＩＰ関節に当接させた状態で，第２指のＭＰ関節側から第５指側に向かって第２指固定ベルト３５を延設する。そして，第２指固定ベルト３５の両端の雌面ファスナー３８を，それぞれ雄面ファスナー３６，３７に係合させる。こうして，第２指固定ベルト３５を第２指に巻き付けることにより，第２指を屈曲させたまま手を固定すると，図５に示す頭脳線Ｌ５が深くなった状態に維持することができる。従って，この固定を毎日数分間ずつ継続して行うと，頭脳線Ｌ５を明確に形成することができる。
【００４６】
また，図１０に示すように，折り曲げた第５指の手の甲側に巻き付けた状態で固定する第５指固定ベルト４０を延設しても良い。例えば，手甲当接部材２に，第５指固定ベルト４０の両端をそれぞれ保持する雄面ファスナー４１，４２を備える。また，第５指固定ベルト４０の内面に，雌面ファスナー４３を備える。手相形成器具１を装着するときは，図１１に示すように，第５指のＭＰ関節を約９０°程度に近い大きな角度で曲げ，ＰＩＰ関節を約９０°程度曲げ，ＤＩＰ関節を約０°に伸ばした状態にすることにより，指先が第５指の付け根付近に対向するように第５指を屈曲させて，第５指固定ベルト４０を第５指のＭＰ関節，ＰＩＰ関節に当接させた状態で，第５指のＭＰ関節側から第１指側に向かって第５指固定ベルト４０を延設する。そして，第５指固定ベルト４０の両端の雌面ファスナー４３を，それぞれ雄面ファスナー４１，４２に係合させる。こうして，第５指固定ベルト４０を第５指に巻き付けることにより，第５指を屈曲させたまま手を固定すると，図５に示す第５指の付け根より手首側に形成される皺，即ち，結婚線Ｌ７が深くなった状態に維持することができる。従って，この固定を毎日数分間ずつ継続して行うと，結婚線Ｌ７を明確に形成することができる。
【００４７】
本実施の形態では，指当接部５によって第３指と第４指を揃えて屈曲させることとしたが，指当接部５を備えず，手首と各指のＭＰ関節の間の部分にのみ，手甲当接部材２をあてがうこととしても良い。この場合も，縦の手相線を増強することができる。また，第３指と第４指を自由に動かせるので，例えば，第１指，第２指，第３指によってペン等の筆記具を持ち，文字等を書くような作業を行いやすい。
【００４８】
本実施の形態では，第１指から第５指のうち，第３指と第４指のみを揃えて屈曲させることとしたが，第２指から第５指までを屈曲させるようにしても良い。例えば，手甲当接部材２に，手甲当接部材２を手の甲にあてがったときに第２指から第５指までの各指の手甲側に沿って配置される指当接部を形成する。また，指当接部に第２指から第５指までの各指を固定する当接部指固定ベルトを備える。指当接部には，指固定ベルトの両端をそれぞれ保持する保持部を備える。そして，手相形成器具１を装着するときは，第２指から第５指までの各指を揃えて，第２指から第５指までの各指のＭＰ関節を曲げるようにして，第２指から第５指までの各指の手の甲側を指当接部に沿って当接させる。そして，指固定ベルトを第２指から第５指までの各指の掌側に当接させた状態で，指固定ベルトを巻き付けて，指当接部に第２指から第５指までの各指を固定する。このように，第２指から第５指までの各指のＭＰ関節を曲げた状態で固定すると，図５に示す第２指の付け根より手首側から第５指の付け根より手首側に向かって形成される皺，即ち，ますかけ線Ｌ８が深くなった状態で，手を固定できる。従って，ますかけ線Ｌ８を明確に形成することができる。
【００４９】
また，第２指から第５指の各ＭＰ関節を曲げる角度を変更可能な構成としても良い。例えば，手甲当接部材２を，手首と第１指から第５指までの各ＭＰ関節との間に当接させる主当接部材，第２指と第５指の各ＭＰ関節と指先との間に当接させる指当接部材によって構成し，主当接部材と指当接部材との間に，角度を調節して固定できるヒンジを備える。この場合，第２指から第５指の各ＭＰ関節の近傍で，それぞれ手甲当接部材２を屈曲させることにより，第２指から第５指の各ＭＰ関節の角度を変えて固定できる。従って，使用者の手の形状，肉質，使用者が希望する手相等に応じて，ますかけ線Ｌ８が現れやすい最適な角度に調節することができる。また，手に負担を感じないような，装着感の良い角度を選択することもできる。さらにまた，指当接部材の途中にヒンジを設け，指当接部材を屈曲させることが可能な構成とし，第２指から第５指の各ＤＩＰ関節と各ＰＩＰ関節を曲げる角度を変更して，指に負担を感じないような，装着感の良い角度を選択できるようにしても良い。
【００５０】
ベルト３は，第１指のＭＰ関節より手首側の部分に当接させて締め付けることとしたが，図１２に示すように，第１指と第２指との間に当接させて締め付ける構成としても良い。この場合も，縦皺を出現させることができる。また，第１指を自由に動かすことができるので，例えば，第１指と第２指によってペン等の筆記具を持ち，文字等を書くような作業を行いやすい。
【００５１】
手相形成器具１に付す色彩や，模様，刻印等のデザインは，各種の占いに関係のあるものとすることが好ましい。例えば，風水においては，縁起の良い色，即ち，いわゆるラッキーカラーが各年によって異なる。従って，使用者が風水における開運を希望する場合は，その年のラッキーカラーが付された手相形成器具１を使用することが好ましい。この場合，手甲当接部材２のプラスチック体６を透明又は半透明にして，クッション材７の色彩をラッキーカラーにすると，プラスチック体６側からラッキーカラーが透けて見えるスケルトンデザインにすることができる。
【００５２】
次に，本発明の第２の実施の形態としての手相形成器具５０について説明する。図１３に示すように，手に巻き付けるバンド状部材５１の裏側には，雌面ファスナー５２を形成する。また，バンド状部材５１の表側に，雌面ファスナー５２を係合させる係止部としての雄面ファスナー５３を備える。手相形成器具５０を装着するときは，図１４に示すように，手の第１指側を第５指側に向かって移動させ，また，手の第５指側を第１指側に向かって移動させた状態として，手にバンド状部材５１を巻き付ける。そして，バンド状部材５１を手の周囲にしっかりと接触させ，一端の雌面ファスナー５２を他端の雄面ファスナー５３に係合させることでバンド状部材５１を係止させ，手を固定する。これにより，掌の第１指側と第５指側を互いに近接させ，手を窄めた状態で固定できる。この手相形成器具５０は，バンド状部材５１と雌面ファスナー５２，雄面ファスナー５３のみによって構成される簡素な構成であるため，製造に要する費用が少なく，低価格で販売できる。
【００５３】
手相形成器具５０においては，図１５に示すように，手の甲に当接させる手甲当接部材５５を備えても良い。この場合，手の甲を更に確実に固定できる。手甲当接部材５５は，柔軟性のあるプラスチックによって構成し，バンド状部材５１の雌面ファスナー５２を保持する雄面ファスナー５６を備えることが好ましい。手相形成器具５０を装着するときは，手甲当接部材５５を手の甲に当接させ，雌面ファスナー５２の一部を手甲当接部材５５の雄面ファスナー５６に係合させ，バンド状部材５１を手及び手甲当接部材５５の周囲に巻き付けて，バンド状部材５１を手の周囲にしっかりと接触させ，雌面ファスナー５２を雄面ファスナー５３に係合させ，手を固定する。これにより，手甲当接部材２を手の甲に沿って湾曲させた状態とすることによって，手の甲が広がることを防止でき，掌の第１指側と第５指側を互いに近接させ，手を窄めた状態で更に確実に固定できる。さらに，手甲当接部材５５を手の甲にあてがったときに第３指と第４指の手の甲側に沿って配置される指当接部と，指当接部に第３指と第４指を固定する当接部指固定ベルトを備えて，より確実に縦皺が形成されるようにしても良い。
【００５４】
次に，別の発明にかかる足裏相形成器具６０について説明する。図１６に示すように，本発明にかかる足裏相形成器具６０は，足の甲にあてがう足甲当接部材６２を備えている。足甲当接部材６２の足裏側には，足甲当接部材６を足の甲にあてがった状態で足に巻き付けるベルト６３が備えられている。足甲当接部材６２には，足甲当接部材６２を足の甲にあてがったときに第３趾と第４趾の足の甲側に沿って配置される趾当接部６５が形成されている。趾当接部６５は，揃えて屈曲させた第３趾と第４趾の足の甲側に沿った形状で形成されている。
【００５５】
足甲当接部材６２は，プラスチック等の柔軟性のある材料と装着感を良好にするクッション材によって構成されている点や，プラスチックの成形方法において，手甲当接部材２と共通するので，説明を省略する。
【００５６】
趾当接部６５には，趾当接部６５に第３趾と第４趾を固定する当接部趾固定ベルト６６が備えられている。当接部趾固定ベルト６６の基端は，留め具６７によって，趾当接部６５の第３趾側の外面に留め付けられている。当接部趾固定ベルト６６の内面には，パイル状の雌面ファスナー６８が設けられている。趾当接部６５の第４趾側の外面には，鉤状の雄面ファスナー６９が貼り付けられている。即ち，足裏側に延接した当接部趾固定ベルト６６の先端側を，雄面ファスナー６９に雌面ファスナー６８を係合させることにより，趾当接部６５の外面に係止させるようになっている。
【００５７】
ベルト６３の基端は，留め具７０によって，足甲当接部材６２の第１趾側の外面に留め付けられている。足甲当接部材６２の外面は，鉤状の雄面ファスナー７１となっている。また，足甲当接部材６２の第５趾側に，足首側から第５趾の付け根側に向かうスリット状の通過口７３が形成されている。即ち，第１趾側から第５趾側に延設したベルト６３を足裏側から通過口７３に挿入させ，足の甲側に引き出し，引き出した部分を第５趾側の外側から足裏側に折り返し，図１７に示すように，折り返した部分を雄面ファスナー７１よってベルト６３の外面に係止させるようになっている。図１７に示すように，ベルト６３の内面には，足裏での肌触り，装着感が良好になるように，フェルト状のクッション材７４が貼り付けられている。
【００５８】
足裏相形成器具６０を足に装着するときは，ベルト６３と足甲当接部材６２との間に足を挿入する。そして，足の甲に足甲当接部材６２をあてがい，通過口７３から引き出す部分を長くしてベルト６３を締め付ける。即ち，足甲当接部材６２を湾曲させながら，図１７に示すように，足の第１趾側を第５趾側に向かって移動させ，また，足の第５趾側を第１趾側に向かって移動させる。これにより，足裏の第１趾側と第５趾側が互いに近接して，第１趾側の肉と第５趾側の肉との間に，踵から爪先に向かう方向の多数の縦皺が現れる。
【００５９】
ベルト６３を締め付けたら，足の甲側に引き出した部分を第５趾側の外側から掌側に折り返し，折り返した部分の雄面ファスナー７１を，足裏に当接しているベルト６３の雄面ファスナー７１に係合させ，ベルト６３を係止させる。こうして，足甲当接部材６２を足の甲に沿って湾曲させた状態とすることによって，足の甲が広がることを防止でき，足を窄めた状態で固定できる。即ち，縦皺が深く長くなり，横皺が減少し又は浅くなった状態にして，足を固定できる。
【００６０】
上記のように足甲当接部材６２及びベルト６３によって手を固定する一方で，趾当接部６５に，第３趾及び第４趾を固定する。先ず，当接部趾固定ベルト６６の雌面ファスナー６８と雄面ファスナー６９を離し，当接部趾固定ベルト６６を趾当接部６５から離隔させ，第３趾と第４趾の足の甲側を趾当接部６５に当接させる。そして，当接部趾固定ベルト６６を第３指と第４指の掌側に接触させ，雌面ファスナー６８と雄面ファスナー６９を係合させる。こうして，第３趾と第４趾を屈曲させた状態で固定すると，縦皺がより深く長く現れ，横皺が現れ難くなる。
【００６１】
なお，足甲当接部材６２及びベルト６３による足の固定と，趾当接部６５及び当接部趾固定ベルト６６による第３趾及び第４趾の固定は，どちらを先に行っても良い。足の固定は形成したいと希望する縦皺の形状等が現れるように調節しながら行う点，足裏相形成器具６０の取り外しは，手相形成器具１とほぼ同様であるので，説明を省略する。
【００６２】
このような足裏相形成器具６０による足の固定を，毎日数分間ずつ継続して行うと，既存の縦方向の足裏の線が次第に深く長くなる。さらに，新たな縦方向の線が形成される。即ち，吉相とされる縦方向の線を明確にしたり，長くしたり，増加させたりすることができる。また，凶相とされる横方向の微細な線を次第に減少させることができる。即ち，侵襲的な方法を用いることなく，簡単に足裏相を改善することができる。使用者は，運勢が良い足裏相，即ち，ラッキーフットを所有することで，希望，自信を得ることができる。
【００６３】
また，この足裏相形成器具６０にあっては，足甲当接部材６２，ベルト６３にクッション材が備えられているため，装着感が良好であるとともに，容易に脱着できるため，装着に対する抵抗感を使用者に与えることが無い。従って，使用者は，足裏相形成器具６０の装着を無理なく継続することができ，足裏相を確実に改善することができる。また，循環不全，皮膚への障害が起こる心配が無く，安全である。
【００６４】
以上，足裏相形成器具の好適な実施の形態の一例を示したが，本発明はここで説明した形態に限定されない。例えば，足甲当接部材６２の材質，クッション材の材質，プラスチック体の成形，ベルト６３の材質，ベルト６３を係止させる構成，ベルト６３の両端を保持する構成，当接部趾固定ベルト６６の材質，当接部趾固定ベルト６６の両端を保持する構成等は，手相形成器具１と同様に，種々の形態とすることができる。
【００６５】
また，第３趾と第４趾の間に挟むスペーサを備えても良い。この場合，第３趾と第４趾の間が圧迫されることを防止でき，皮膚への刺激を弱めることができ，装着感を更に良好にすることができる。また，長時間装着しても負担が少ない。スペーサは，例えばシリコンやウレタン等，弾力性のある材料によって，楕円型の薄板状等に形成すると良い。
【００６６】
次に，本発明の第２の実施の形態としての足裏相形成器具８０について説明する。足裏相形成器具８０は，図１３に示す手相形成器具５０とほぼ同様の構成を有するので，構成について説明を省略する。図１８に示すように，足裏相形成器具８０を装着するときは，足の第１趾側を第５趾側に向かって移動させ，また，足の第５趾側を第１趾側に向かって移動させた状態として，足にバンド状部材５１を巻き付ける。そして，バンド状部材５１を足の周囲にしっかりと接触させ，雌面ファスナー５２を雄面ファスナー５３に係合させ，足を固定する。これにより，足の第１趾側と第５趾側を互いに近接させ，足を窄めた状態で固定できる。この足裏相形成器具８０は，バンド状部材５１と雌面ファスナー５２，雄面ファスナー５３のみによって構成される簡素な構成であるため，製造に要する費用が少なく，低価格で販売できる。
【００６７】
足裏相形成器具８０においては，足の甲に当接させる足甲当接部材を備えても良い。この場合，足の甲を更に確実に固定できる。足甲当接部材は，足の甲に沿った形状で形成されている点を除けば，図１５に示す手甲当接部材５５とほぼ同様の構成を有するので，構成について説明を省略する。足裏相形成器具８０を装着するときは，足甲当接部材を足の甲に当接させ，雌面ファスナーの一部を足甲当接部材の雄面ファスナーに係合させ，バンド状部材５１を足及び足甲当接部材の周囲に巻き付けて，バンド状部材５１を足の周囲にしっかりと接触させ，雌面ファスナーを雄面ファスナーに係合させ，足を固定する。これにより，足甲当接部材を足の甲に沿って湾曲させた状態とすることによって，足の甲が広がることを防止でき，足を窄めた状態で更に確実に固定できる。さらに，足甲当接部材を足の甲にあてがったときに第３趾と第４趾の足の甲側に沿って配置される趾当接部と，趾当接部に第３趾と第４趾を固定する当接部趾固定ベルトを備えて，より確実に縦皺が形成されるようにしても良い。
【００６８】
次に，別の発明にかかる人相形成器具８５について説明する。図１９に示すように，本発明にかかる人相形成器具８５は，後頭部にあてがう後頭部当接部材８６を備えている。後頭部当接部材８６の左側には，左側頭部にあてがうバンド状部材８７，８８，８９の各基端が固定されており，後頭部当接部材８６の右側には，右側頭部にあてがうバンド状部材９１，９２，９３の各基端が固定されている。バンド状部材８７，８８，８９，９１，９２，９３は，伸縮性のあるゴム状のバンドである。左側のバンド状部材８７，８８，８９の各先端には，左側の耳輪を保持する保持部材９５，左側の鼻翼を保持する保持部材９６，左側の口角を保持する保持部材９７がそれぞれ取り付けられている。右側のバンド状部材９１，９２，９３の各先端には，右側の耳輪を保持する保持部材９８，右側の鼻翼を保持する保持部材９９，右側の口角を保持する保持部材１００，がそれぞれ取り付けられている。各保持部材９５，９６，９７，９８，９９，１００は，フック状になっており，耳輪，鼻翼又は口角に引掛かるようになっている。
【００６９】
人相形成器具８５を装着するときは，図２０に示すように，後頭部を後頭部当接部材８６に当接させ，バンド状部材８７，８８，８９を顔面側に引き伸ばして，左側の保持部材９５，９６，９７をそれぞれ左側の耳殻の耳輪，左側の鼻翼及び左側の口角に引掛け，バンド状部材８７，８８，８９を顔面側に引き伸ばして，右側の保持部材９８，９９，１００をそれぞれ右側の耳殻の耳輪，右側の鼻翼及び右側の口角に引掛ける。このようにすると，左右の耳輪を後頭部側へ向かって引いた状態で，左右の鼻翼を後頭部側へ向かって引いた状態で，また，左右の口角を後頭部側へ向かって引いた状態で，顔面が固定される。
【００７０】
以上に示した人相形成器具８５による顔面の固定を，毎日数分間ずつ継続して行うと，対輪（対耳輪）がはっきりと出て，積極的な性格の人相になる。また，鼻翼が左右に開いた形状になり，財産運が良い人相になる。さらに，口角が上がり，運勢が良い人相になる。即ち，侵襲的な方法を用いることなく，簡単に人相を改善することができる。使用者は，運勢が良い人相，即ち，ラッキーフェイスを所有することで，希望，自信を得ることができる。
【００７１】
以上，人相形成器具の好適な実施の形態の一例を示したが，本発明はここで説明した形態に限定されない。例えば，実施の形態では，フックを備えたバンド状部材を６本備え，耳殻，鼻翼及び口角を改善する人相形成器具について説明したが，バンド状部材の数は６本に限定されない。例えば，後頭部当接部材８６の左右にバンド状部材をそれぞれ１本ずつ備え，鼻翼専用，口角専用，又は耳殻専用の人相形成器具としても良い。勿論，後頭部当接部材８６の左右にバンド状部材をそれぞれ２本ずつ備え，鼻翼と口角，鼻翼と耳殻，又は耳殻と口角を改善する人相形成器具としても良い。
【００７２】
各保持部材９５，９６，９７，９８，９９，１００は，フック状としたが，クリップ状にして，耳輪，鼻翼，又は口角を挟んで保持するようにしても良い。
【００７３】
次に，本発明の第２の実施の形態としての人相形成器具１０５について説明する。図２１に示すように，後頭部から側頭部にあてがうバンド状部材１０６の両端に，鼻翼を保持する保持部材１０７，１０８をそれぞれ備える。人相形成器具１０５を装着するときは，バンド状部材１０６の中央部を後頭部に当接させ，バンド状部材１０６の両端を頭の左右から顔面側に引き伸ばして，保持部材１０７，１０８によってそれぞれ左右の鼻翼を保持する。このようにすると，左右の鼻翼を後頭部側へ向かって引いた状態で，顔面が固定される。従って，人相形成器具１０５による顔面の固定を，毎日数分間ずつ継続して行うと，鼻翼が左右に開いた形状になり，財産運が良い人相になる。なお，保持部材１０７，１０８によって，左右の口角を保持すれば，口角が上がり，運勢が良い人相になる。保持部材１０７，１０８によって，左右の耳輪を保持すれば，対輪がはっきりと出て，積極的な性格の人相になる。
【００７４】
【発明の効果】
本発明によれば，手の固定を毎日数分間ずつ継続して行うことにより，縦方向の手相線を明確にし，増加させることができる。また，凶相とされる横方向の微細な手相線を次第に減少させることができる。即ち，侵襲的な方法を用いることなく，簡単に手相を改善することができる。使用者は，運勢が良い手相，即ち，ラッキーハンドを所有することで，希望，自信を得ることができる。また，足の固定を毎日数分間ずつ継続して行うことにより，足裏の縦方向の線を明確にし，増加させることができる。また，凶相とされる横方向の微細な線を次第に減少させることができる。即ち，侵襲的な方法を用いることなく，簡単に足裏相を改善することができる。また，顔面の固定を１日数分間ずつ，数日間継続して行うことにより，対輪がはっきりと出て，鼻翼が左右に開き，口角が上がる。即ち，侵襲的な方法を用いることなく，簡単に人相を改善することができる。使用者は，運勢が良い手相，足裏相，又は，人相を所有することで，希望，自信を得ることができる。
【図面の簡単な説明】
【図１】本実施の形態にかかる手相形成器具の背面図である。
【図２】手相形成器具の側面図である。
【図３】手相形成器具の正面図である。
【図４】手相形成器具を装着した状態を説明する説明図である。
【図５】手相を説明する説明図である。
【図６】バックルを備えた手相形成器具の正面図である。
【図７】スペーサを備えた手相形成器具の正面図である。
【図８】第２指固定ベルトを備えた手相形成器具の背面図である。
【図９】第２指固定ベルトを備えた手相形成器具を装着した状態を説明する説明図である。
【図１０】第５指固定ベルトを備えた手相形成器具の背面図である。
【図１１】第５指固定ベルトを備えた手相形成器具を装着した状態を説明する説明図である。
【図１２】ベルトを当接させる位置を変えた手相形成器具を装着した状態を説明する説明図である。
【図１３】別の実施の形態にかかる手相形成器具の斜視図である。
【図１４】別の実施の形態にかかる手相形成器具を装着した状態を説明する説明図である。
【図１５】手甲当接部材を備えた別の実施の形態にかかる手相形成器具の斜視図である。
【図１６】足裏相形成器具を装着した状態を説明する説明図である。
【図１７】足裏相形成器具を装着した状態を説明する説明図である。
【図１８】別の実施の形態にかかる足裏相形成器具を装着した状態を説明する説明図である。
【図１９】人相形成器具の背面図である。
【図２０】人相形成器具を装着した状態を説明する説明図である。
【図２１】別の実施の形態にかかる人相形成器具の正面図である。
【符号の説明】
Ｌ１    生命線
Ｌ２    運命線
１      手相形成器具
２      手甲当接部材
３      ベルト
５      指当接部
１０    当接部指固定ベルト
３５    第２指固定ベルト
４０    第５指固定ベルト
６０    足裏相形成器具
６２    足甲当接部材
６３    ベルト
６５    趾当接部
８５    人相形成器具
８７，８８，８９，９１，９２，９３  バンド状部材
９５，９６，９７，９８，９９，１００  保持部材
【図１】
2004321361.tif 000003
【図２】
2004321361.tif 000004
【図３】
2004321361.tif 000005
【図４】
2004321361.tif 000006
【図５】
2004321361.tif 000007
【図６】
2004321361.tif 000008
【図７】
2004321361.tif 000009
【図８】
2004321361.tif 000010
【図９】
2004321361.tif 000011
【図１０】
2004321361.tif 000012
【図１１】
2004321361.tif 000013
【図１２】
2004321361.tif 000014
【図１３】
2004321361.tif 000015
【図１４】
2004321361.tif 000016
【図１５】
2004321361.tif 000017
【図１６】
2004321361.tif 000018
【図１７】
2004321361.tif 000019
【図１８】
2004321361.tif 000020
【図１９】
2004321361.tif 000021
【図２０】
2004321361.tif 000022
【図２１】
2004321361.tif 000023